(57)【特許請求の範囲】
【請求項１】
合成樹脂からなり上端が開口する容器本体の上端開口部を、合成樹脂フィルムからなる覆い用シートを前記上端開口部の周囲に接合させることにより覆い、内部に食品あるいは食用液状体を密封状態で収納するための包装用容器であって、前記覆い用シートは内面を構成する層がこの内面を構成する層の外側に位置する層よりも低融点の樹脂からなる材料により作られ、覆い用シートの一部に蒸気抜き部を形成し、この蒸気抜き部は覆い用シートの材料に切り込み部を形成するとともに、この切り込み部を含む範囲で覆い用シートの材料を少なくとも内面側から内面を構成する層は溶融するがこの内面を構成する層の外側に位置する層が溶融しない程度の温度で加熱し、前記内面を構成する層の切り込み部のみを電子レンジでの調理の際の包装用容器の内圧の上昇により開口する程度に溶融により閉じて形成されてなることを特徴とする包装用容器。
【請求項２】
覆い用シートに複数個の蒸気抜き部が形成されていることを特徴とする請求項１記載の包装用容器。
【発明の詳細な説明】
【０００１】
【発明の属する技術分野】
本発明は、電子レンジで調理される食品あるいは食用液状体、具体的には茶碗蒸しやカレーなどの食品あるいはコーヒーなどの食用液状体を収納するための包装用容器に関するものである。
【０００２】
【従来の技術】
従来から合成樹脂からなり上端が開口する容器本体の上端開口部を、合成樹脂フィルムからなる覆い用シートを前記上端開口部の周囲にヒートシールより融着させることにより覆い、内部に食品あるいは食用液状体を密封状態で収納するための包装用容器が知られている。このような包装用容器に収納される食品あるいは食用液状体を電子レンジで調理する際、調理により内圧が高くなって包装用容器の覆い用シートが破裂するのを防止するために、覆い用シートの一部に針などで孔をあけておく必要がある。
【０００３】
【発明が解決しようとする課題】
しかしながら、従来では覆い用シートの一部を開口させるのに針などの孔あけ手段を用意する必要があり、面倒であるという問題があった。
本発明はこのような課題を解決するもので、覆い用シートの一部を開口させるのに針などの孔あけ手段を用意する必要がなく、電子レンジでの調理の際、調理により内圧が高くなって覆い用シートの一部が簡単に開口できるようにすることを目的とするものである。
【０００４】
【課題を解決するための手段】
この課題を解決するために本発明は、合成樹脂からなり上端が開口する容器本体の上端開口部を、合成樹脂フィルムからなる覆い用シートを前記上端開口部の周囲に接合させることにより覆い、内部に食品あるいは食用液状体を密封状態で収納するための包装用容器であって、前記覆い用シートは内面を構成する層がこの内面を構成する層の外側に位置する層よりも低融点の樹脂からなる材料により作られ、覆い用シートの一部に蒸気抜き部を形成し、この蒸気抜き部は覆い用シートの材料に切り込み部を形成するとともに、この切り込み部を含む範囲で覆い用シートの材料を少なくとも内面側から内面を構成する層は溶融するがこの内面を構成する層の外側に位置する層が溶融しない程度の温度で加熱し、前記内面を構成する層の切り込み部のみを電子レンジでの調理の際の包装用容器の内圧の上昇により開口する程度に溶融により閉じて形成されてなることを要旨とするものである。また本発明は、覆い用シートに複数個の蒸気抜き部が形成されていることを要旨とするものである。
【０００５】
この構成により、密封状態の包装用容器に収納される食品や食用液状体を電子レンジで調理する際、内圧の上昇により覆い用シートの蒸気抜き部の内面を構成する層の切り込み部は内部から押し開かれ、蒸気抜き部を簡単に開口させることができ、従来のように針などの孔あけ手段を用いて覆い用シートの一部を開口させておく必要がない。また、覆い用シートに蒸気抜き部を複数設けてあることにより、全ての蒸気抜き部が同時に開口しなくても少なくとも１つの蒸気抜き部が開口することにより包装用容器内の蒸気抜きを行なうことができるので、蒸気抜きの確実性を高めることができる。さらに、内圧の上昇により開口した蒸気抜き部にストローを差し込んで、容器本体内のコーヒーなどを飲むことも可能である。
【０００６】
【発明の実施の形態】
以下、本発明の実施の形態について、図面に基づいて説明する。
先ず、図１〜図５に示す第１の実施の形態について説明すると、１は合成樹脂からなり上端が開口するカップ状の容器本体で、この容器本体１の上端開口部２を、合成樹脂フィルムからなる覆い用シート３を前記上端開口部２の周囲にヒートシールより融着させることにより覆って包装用容器を完成させている。前記覆い用シート３は内面を構成する層４が外面を構成する層５よりも低融点で、前記容器本体１と同じ樹脂からなり、前記２つの層４，５が積層された２層構造の材料により作られ、この覆い用シート３の一部に電子レンジでの調理の際の包装用容器の内圧の上昇により開口する蒸気抜き部６が、覆い用シート３を容器本体１の上端開口部２にヒートシールする前に予め形成されている。図面に示す実施の形態では、前記蒸気抜き部６は覆い用シート３の中央部に形成され、具体的には覆い用シート３の前記内面を構成する層４と外面を構成する層５の２層構造の材料に円弧状の切り込み部７を形成し、この切り込み部７を含む範囲で前記内面を構成する層４と外面を構成する層５の２層構造の材料を表裏両面から熱盤８ａ，８ｂで挟み、前記内面を構成する層４は溶融するが外面を構成する層５が溶融しない程度の温度で２層構造の材料を加熱し、前記内面を構成する層４の切り込み部７のみを溶融により閉じ、蒸気抜き部６が形成されている。このように内面を構成する層４の切り込み部７は溶融により閉じられるのであるが、その部分の強度は電子レンジでの調理の際の包装用容器の内圧の上昇により開口する程度である。
【０００７】
さらに詳しくは、前記容器本体１はポリプロピレンで作られ、また前記覆い用シート３は、内面を構成する層４がポリプロピレンで作られ、外面を構成する層５がナイロン（ＮＹ−６）で作られている。
従って、このような構成の包装用容器の中に収納された状態で食品あるいは食用液状体を電子レンジで調理する際、包装用容器の内圧の上昇により蒸気抜き部６の内面を構成する層４の切り込み部７で囲まれた小片９は内部から押し開かれ、蒸気抜き部６を簡単に開口させることができる。
【０００８】
ところで、覆い用シート３を構成する材料として、前記外面を構成する層５の外側に内面を構成する層４よりも高融点の樹脂からなる別の層を設け、あるいは外面を構成する層５と内面を構成する層４との間に内面を構成する層４よりも高融点の樹脂からなる別の層を設けたものを用いることもできる。勿論、この別の層にも蒸気抜き部としての切り込み部が形成される。
【０００９】
次に、図６に示す第２の実施の形態について説明すると、前記第１の実施の形態では前記蒸気抜き部６の切り込み部７の形状は円弧状であるが、図６に示すように切り込み部７はＩ形であっても良い。切り込み部７をＩ形とすることにより、包装用容器の中に収納された状態で食品あるいは食用液状体を電子レンジで調理する際、包装用容器の内圧の上昇により蒸気抜き部６の内面を構成する層４の切り込み部７で囲まれた小片９は前記第１の実施の形態と同様に内部から押し開かれ、蒸気抜き部６を簡単に開口させることができる。なお、切り込み部７の形状は前記第１および第２の実施の形態以外に、図７に示す第３の実施の形態のように／形であっても良く、また図８に示す第４の実施の形態のように形であっても良く、さらに図９に示す第５の実施の形態のように＋形であっても良く、その他図面に示されていない三角形、四角形などであっても良い。
【００１０】
さらに、図面に示す実施の形態では、前記蒸気抜き部６は覆い用シート３の中央部に１つ形成されているが、蒸気抜き部６を複数個並べて形成することも可能で、このようにすることにより、全ての蒸気抜き部６が同時に開口しなくても少なくとも１つの蒸気抜き部６が開口することにより包装用容器内の蒸気抜きを行なうことができるので、蒸気抜きの確実性を高めることができる。
【００１１】
さらに、容器本体１の形状は図面に示す実施の形態に限定されるものではなく、カップ状以外に皿状など食品あるいは食用液状体などの内容物の種類に応じて適宜決定すれば良い。
【００１２】
【発明の効果】
以上のように本発明によれば、密封状態の包装用容器に収納される食品や食用液状体を電子レンジで調理する際、内圧の上昇により覆い用シートの蒸気抜き部の内面を構成する層の切り込み部は内部から押し開かれ、蒸気抜き部を簡単に開口させることができ、従来のように針などの孔あけ手段を用いて覆い用シートの一部を開口させておく必要がない。また、覆い用シートに蒸気抜き部を複数設けてあることにより、全ての蒸気抜き部が同時に開口しなくても少なくとも１つの蒸気抜き部が開口することにより包装用容器内の蒸気抜きを行なうことができるので、蒸気抜きの確実性を高めることができる。さらに、内圧の上昇により開口した蒸気抜き部にストローを差し込んで、容器本体内のコーヒーなどを飲むことも可能である。
【図面の簡単な説明】
【図１】本発明の第１の実施の形態における包装用容器の斜視図である。
【図２】同包装用容器の覆い用シートに切り込み部を形成した状態を示す要部拡大断面図である。
【図３】同切り込み部を熱盤で挟んで加熱する状態を示す要部拡大断面図である。
【図４】同包装用容器の覆い用シートの蒸気抜き部の要部拡大断面図である。
【図５】同包装用容器の内圧の上昇により蒸気抜き部が開かれた状態を示す要部拡大斜視図である。
【図６】本発明の第２の実施の形態における蒸気抜き部の要部拡大斜視図である。
【図７】本発明の第３の実施の形態における蒸気抜き部の要部拡大斜視図である。
【図８】本発明の第４の実施の形態における蒸気抜き部の要部拡大斜視図である。
【図９】本発明の第５の実施の形態における蒸気抜き部の要部拡大斜視図である。
【符号の説明】
１    容器本体
２    上端開口部
３    覆い用シート
４    内面側を構成する層
５    外面側を構成する層
６    蒸気抜き部
７    切り込み部
９    小片
【図１】
0004346146.tif 000002
【図２】
0004346146.tif 000003
【図３】
0004346146.tif 000004
【図４】
0004346146.tif 000005
【図５】
0004346146.tif 000006
【図６】
0004346146.tif 000007
【図７】
0004346146.tif 000008
【図８】
0004346146.tif 000009
【図９】
0004346146.tif 000010